(57)【要約】【課題】部品点数が少なく、製造時の管理が容易であり、かつ機械的強度を十分に確保することができる光コネクタおよびコネクタ付光ファイバコードを提供すること。【解決手段】光ファイバコードの先端に取り付けられた光ファイバ端子を収容保持する収容部を有するコネクタハウジングを備え、前記コネクタハウジングは、前記光ファイバ端子を係止する係止構造を前記収容部内に有し、前記係止構造は、前記コネクタハウジング本体とは独立に係止動作のための変形をするように構成されている光コネクタ。【選択図】図１
2014238483.tif 000002
【特許請求の範囲】
【請求項１】
光ファイバコードの先端に取り付けられた光ファイバ端子を収容保持する収容部を有するコネクタハウジングを備え、
前記コネクタハウジングは、前記光ファイバ端子を係止する係止構造を前記収容部内に有し、前記係止構造は、前記コネクタハウジング本体とは独立に係止動作のための変形をするように構成されていることを特徴とする光コネクタ。
【請求項２】
前記光ファイバ端子は、外周に形成された凹部を有し、
前記係止構造は、前記コネクタハウジングの内壁から延伸した、係止の際に変形するアーム部と、前記アーム部に形成された、前記凹部に係止する係止爪とを有することを特徴とする請求項１に記載の光コネクタ。
【請求項３】
先端に光ファイバ端子が取り付けられた光ファイバコードと、
前記光ファイバ端子を前記収容部において収容保持し、前記係止構造によって係止する請求項１または２に記載の光コネクタと、
を備えることを特徴とするコネクタ付光ファイバコード。
【発明の詳細な説明】
【技術分野】
【０００１】
本発明は、光コネクタおよびコネクタ付光ファイバコードに関するものである。
【背景技術】
【０００２】
近年の車両内での制御信号、画像信号、音声信号等の通信情報量の増大に伴い、情報信号の伝送に使用される伝送路にも、従来のメタルコードに代えて光ファイバコードが用いられるようになってきている（特許文献１、２参照）。光ファイバコードは、メタルコードのように通信速度の高速化により周囲にノイズを放出するという問題もないため、高速、大容量の情報通信に適する信号伝送路である。
【０００３】
光ファイバコードは、その端部に光コネクタを備えている。光コネクタは、光ファイバコードの先端に取り付けられるフェルール等を有する端子（光ファイバ端子）と、この光ファイバ端子を保持し、他の光コネクタ等と接続するための構造を有するハウジングとを備えている。一方、通信を行なう装置にも光コネクタが備えられており、光コネクタ同士を接続することによって、光ファイバコードと、通信を行なう装置とを接続することができる。また、光ファイバコード同士の接続も光コネクタによって実現される。光ファイバコード同士の接続はWire  to  Wire接続と呼ばれる。
【０００４】
従来の光コネクタでは、光ファイバ端子は、固定部材や接着剤などによってハウジングに固定されている。また、ハウジングにラッチ構造が設けられており、このラッチ構造によって光ファイバ端子がハウジングに係止される構造を有する光コネクタが開示されている（特許文献３参照）。
【先行技術文献】
【特許文献】
【０００５】
【特許文献１】特開２００２−１０７５７３号公報
【特許文献２】特許第３８１３４９６号公報
【特許文献３】特開２００８−２７６０６３号公報
【発明の概要】
【発明が解決しようとする課題】
【０００６】
しかしながら、固定部材で光ファイバ端子をハウジングに固定する構成では、別部材としての固定部材が必要なため、部品点数が多くなり、かつ製造時の固定部材の管理が必要となる。また、接着剤を用いる場合は、接着剤を塗布、硬化させる工程およびその工程管理が必要となる。
【０００７】
また、特許文献３に開示される構造では、ラッチ構造がハウジングの内壁に一体に形成されているため、このラッチ構造が光ファイバ端子を係止するためにはラッチ構造が変形する必要があるが、このような変形をするためには、ラッチ構造と一体に形成されているハウジングが係止の際に容易に変形可能な材料または構造で構成される必要がある。しかながら、車両内で用いられる光コネクタには、強い衝撃が掛かる場合があるので、ハウジングをこのように容易に変形が可能な材料または構造で構成すると機械的強度不足になるおそれがある。
【０００８】
本発明は、上記に鑑みてなされたものであって、部品点数が少なく、製造時の管理が容易であり、かつ機械的強度を十分に確保することができる光コネクタおよびコネクタ付光ファイバコードを提供することを目的とする。
【課題を解決するための手段】
【０００９】
上述した課題を解決し、目的を達成するために、本発明に係る光コネクタは、光ファイバコードの先端に取り付けられた光ファイバ端子を収容保持する収容部を有するコネクタハウジングを備え、前記コネクタハウジングは、前記光ファイバ端子を係止する係止構造を前記収容部内に有し、前記係止構造は、前記コネクタハウジング本体とは独立に係止動作のための変形をするように構成されていることを特徴とする。
【００１０】
本発明に係る光コネクタは、上記発明において、前記光ファイバ端子は、外周に形成された凹部を有し、前記係止構造は、前記コネクタハウジングの内壁から延伸した、係止の際に変形するアーム部と、前記アーム部に形成された、前記凹部に係止する係止爪とを有することを特徴とする。
【００１１】
本発明に係るコネクタ付光ファイバコードは、先端に光ファイバ端子が取り付けられた光ファイバコードと、前記光ファイバ端子を前記収容部において収容保持し、前記係止構造によって係止する上記発明の光コネクタと、を備えることを特徴とする。
【発明の効果】
【００１２】
本発明によれば、部品点数が少なく、製造時の管理が容易であり、かつ機械的強度を十分に確保することができる光コネクおよびコネクタ付光ファイバコードを実現できるという効果を奏する。
【図面の簡単な説明】
【００１３】
【図１】図１は、実施の形態に係るコネクタ付光ファイバコードの模式的な斜視図である。
【図２】図２は、図１に示すコネクタ付光ファイバコードの一部切り欠き図である。
【図３】図３は、図１に示すコネクタ付光ファイバコードの組み立て方法を説明する図である。
【図４】図４は、図１に示すコネクタ付光ファイバコードの組み立て方法を説明する図である。
【発明を実施するための形態】
【００１４】
以下に、図面を参照して本発明に係る光コネクタおよびコネクタ付光ファイバコードの実施の形態を詳細に説明する。なお、この実施の形態によりこの発明が限定されるものではない。また、各図面において、同一または対応する構成要素には適宜同一の符号を付している。また、図面は模式的なものであり、各要素の寸法の比率などは現実のものとは異なる場合があることに留意すべきである。また、図面相互間においても互いの寸法の関係や比率が異なる部分が含まれている場合がある。
【００１５】
（実施の形態１）
図１は、実施の形態に係るコネクタ付光ファイバコードの模式的な斜視図である。図２は、図１に示すコネクタ付光ファイバコードの一部切り欠き図である。図１、２に示すように、コネクタ付光ファイバコード１０は、２つの端子付光ファイバコード１と、コネクタハウジング２とを備えているメス型のコネクタ付光ファイバコードである。
【００１６】
端子付光ファイバコード１は、光ファイバコード１ａと、光ファイバコード１ａの先端に取り付けられた光ファイバ端子１ｂと、光ファイバ端子１ｂと光ファイバコード１ａとの接続部を保護する接続部保護部１ｃと、接続部保護部１ｃと一体に形成された保護ブーツ部１ｄとを備えている。
【００１７】
光ファイバコード１ａは、ガラスやプラスチックからなる光ファイバ１ａａと、光ファイバ１ａａの外周に長手方向に沿って形成されて光ファイバ１ａａを被覆する素線被覆部１ａｂとからなる光ファイバ素線と、光ファイバ素線の外周に長手方向に沿って配置された不図示の抗張力体と、抗張力体の外周を長手方向に沿って覆う外被覆部１ａｃとを備えている。なお、抗張力体は、たとえばケブラー（登録商標）等のアラミド樹脂繊維からなり、光ファイバ素線の外周を囲むように配置している。また、素線被覆部１ａｂはたとえばポリアミド樹脂からなる。そして、光ファイバコード１ａの先端で素線被覆部１ａｂと外被覆部１ａｃとが一部除去され、光ファイバ１ａａ、素線被覆部１ａｂ、および抗張力体がそれぞれ所定の長さだけ外被覆部１ａｃから露出した状態となっている。
【００１８】
光ファイバ端子１ｂには、外被覆部１ａｃから露出した光ファイバ１ａａおよび素線被覆部１ａｂからなる光ファイバ素線が挿通固定されている。光ファイバ端子１ｂは、外周に沿って環状に形成された、光ファイバ端子１ｂをコネクタハウジング２に係止するための凹部である溝１ｂａと、溝１ｂａよりも光ファイバ端子１ｂの先端側に形成された鍔部１ｂｂとを有している。光ファイバ端子１ｂは、たとえば耐熱性、機械強度、成型性に優れるポリフェニレンサルファイド樹脂（ＰＰＳ）からなる。
【００１９】
接続部保護部１ｃおよび保護ブーツ部１ｄは、たとえばゴムや樹脂などの可とう性を有する材料で一体に形成されている。光ファイバ端子１ｂと光ファイバコード１ａとは、たとえば光ファイバ端子１ｂの後端部を、光ファイバコード１ａの外被覆部１ａｃおよび露出させた抗張力体とともにかしめリングなどでかしめることによって接続されている。接続部保護部１ｃはこの接続部を保護している。なお、接続部保護部１ｃには、後述するコネクタハウジング２の収容部２ａと密着して外部からの水の浸入を防止する止水部１ｃａが形成されている。
【００２０】
保護ブーツ部１ｄは、光ファイバコード１ａが許容半径よりも小さい曲げ径で折れ曲がるのを防止しており、これによって光ファイバ１ａａが折損することを防止している。
【００２１】
コネクタハウジング２は、収容部２ａ、２ｂを有する。収容部２ａは、２つの光ファイバ端子を収容保持する部分である。収容部２ｂは、収容部２ａに連通しており、コネクタ付光ファイバコード１０と接続すべきオス型のコネクタ付光ファイバコードとの接続の際に、オス型の光コネクタの一部が収容される部分である。コネクタハウジング２は、たとえば耐熱性、機械強度、成型性に優れるＰＰＳからなる。
【００２２】
コネクタハウジング２は、さらに、収容部２ａ内に、光ファイバ端子１ｂを係止するための係止構造２ｃを有している。この係止構造２ｃは、コネクタハウジング２の内壁から延伸したアーム部２ｃａと、アーム部２ｃａの先端近傍に形成された係止爪２ｃｂとを有している。この係止構造２ｃは、係止爪２ｃｂが光ファイバ端子１ｂの溝１ｂａに係止することによって、光ファイバ端子１ｂをコネクタハウジング２に係止している。
【００２３】
つぎに、このコネクタ付光ファイバコード１０の組み立て方法について説明する。図３、図４は、コネクタ付光ファイバコード１０の組み立て方法を説明する図である。はじめに、図３に示すように、端子付光ファイバコード１の先端の光ファイバ端子１ｂを収容部２ａ側から収容部２ｂ側に向かって挿通する。このとき、光ファイバ端子１ｂの鍔部１ｂｂが係止構造２ｃの係止爪２ｃｂを押圧する。これによってアーム部２ｃａが下方へ曲がるように変形して係止構造２ｃが押下される。このとき、係止爪２ｃｂの、鍔部１ｂｂで押圧される部分が、挿通方向に向かって傾斜する傾斜面を有していると、鍔部１ｂｂによる係止爪２ｃｂの押圧の際に引っ掛かりがなく挿通をスムーズに行うことができるので好ましい。
【００２４】
光ファイバ端子１ｂをさらに挿通し、図４に示すように、係止爪２ｃｂの位置に光ファイバ端子の溝１ｂａが到達すると、アーム部２ｃａの弾性によって係止構造２ｃが挿通前の位置に復元し、係止爪２ｃｂが溝１ｂａに嵌合する。これによって、光ファイバ端子１ｂはコネクタハウジング２に係止され、コネクタ付光ファイバコード１０の組み立てが完了する。
【００２５】
図３、４に示すように、係止構造２ｃのアーム部２ｃａは、コネクタハウジング２と光ファイバ端子１ｂとが係止するときに、コネクタハウジング２の本体とは独立に係止動作のための変形をする。したがって、コネクタハウジング２は、本体については係止の際に容易に変形をする必要がないので、機械的強度が高い材料を使用して構成することができる。なお、アーム部２ｃａについては、コネクタハウジング２の本体とは独立に係止動作のための変形をするようにその幅や厚さが設定されている。これによって、コネクタハウジング２の本体は十分な機械的強度が確保されつつ、アーム部２ｃａの独立な変形が可能となる。
【００２６】
また、係止構造２ｃは、コネクタハウジング２に形成されているため、別部材としての固定部材の用意や接着剤による接着の必要がない。その結果、部品点数が削減され、かつ製造時の管理の負荷が軽減される。また、固定部材を組み付けるための組み付け機構なども必要がないため、コネクタハウジング２を小型化できる。さらには、固定部材を組み付けるための孔や溝なども不要なため、そのような孔や溝からの水の浸入のおそれがない、防水性に優れたコネクタハウジング２となる。
【００２７】
以上のように、本実施の形態に係るコネクタ付光ファイバコード１０は、部品点数が少なく、製造時の管理が容易であり、かつ機械的強度を十分に確保することができるものである。
【００２８】
なお、上記実施の形態では、コネクタハウジングが有する係止構造は１つであるが、複数の係止構造を有していてもよい。
【００２９】
また、上記実施の形態に係るコネクタ付光ファイバコードは、端子付光ファイバコードを２本備える２芯構造であるが、本発明はこれに限らず、１芯または３芯以上の多芯のコネクタ付光ファイバコードにも適用できるものである。
【００３０】
また、上記実施の形態はコネクタ付光ファイバコードであるが、本実施の形態と同様の構成を有するコネコネクタハウジングを備える光コネクタであれば、本発明の効果を奏することができる。
【００３１】
また、本発明は、上記実施の形態の構成の光コネクタに限らず、たとえば公知のＳＣコネクタ、ＭＴコネクタ、Ｆ０７コネクタ等の各種光コネクタに適用できるものである。
【００３２】
なお、上記実施の形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００３３】
１  端子付光ファイバコード
１ａ  光ファイバコード
１ａａ  光ファイバ
１ａｂ  素線被覆部
１ａｃ  外被覆部
１ｂ  光ファイバ端子
１ｂａ  溝
１ｂｂ  鍔部
１ｃ  接続部保護部
１ｃａ  止水部
１ｄ  保護ブーツ部
２  コネクタハウジング
２ａ、２ｂ  収容部
２ｃ  係止構造
２ｃａ  アーム部
２ｃｂ  係止爪
１０  コネクタ付光ファイバコード
【図１】
2014238483.tif 000003
【図２】
2014238483.tif 000004
【図３】
2014238483.tif 000005
【図４】
2014238483.tif 000006